(57)【要約】【課題】下腹部及び腰の後部を含む胴体周囲のみ締め付けることが可能なランニング用パンツを提供する。【解決手段】第１の生地２と第２の生地３を含むランニング用パンツ１であって、第１の生地２は下腹部及び腰の後部を含む胴体周囲を円筒状に覆って締め付け、ランニング時には安定姿勢を保つための伸縮性生地であり、上端にはベルト部４があり、第２の生地３は、第１の生地２より下方に配置され、ランニング時には臀部から脚部の筋肉はフリー状態に保たれ、自由な動きができる生地であり、伸縮性は無いか又は第１の生地２の伸縮性より低い伸縮性の織物であり、ランニング用パンツ１は短パン又は７分丈である。【選択図】図１
2020153060.tif 000002
【特許請求の範囲】
【請求項１】
第１の生地と第２の生地を含むスポーツ用パンツであって、
前記第１の生地は伸縮性生地であり、下腹部及び腰の後部を含む胴体周囲を覆い、下限は恥骨を含む位置より上で臍部より下の位置にあり、上端にはベルト部があり、
前記第２の生地は、前記第１の生地より下方に配置され、伸縮性は無いか又は前記第１の生地の伸縮性より低い伸縮性の織物であることを特徴とするスポーツ用パンツ。
【請求項２】
前記第１の生地は編み物である請求項１に記載のスポーツ用パンツ。
【請求項３】
前記第１の生地は、パンツの前側部分の中央幅が後側部分の中央幅より広い請求項１又は２に記載のスポーツ用パンツ。
【請求項４】
前記第１の生地及び第２の生地の単位面積当たりの質量（目付）は、それぞれ４０〜２００ｇ／ｍ2である請求項１〜３のいずれか１項に記載のスポーツ用パンツ。
【請求項５】
前記スポーツ用パンツの腰後部にはペットボトルを挿入するためのカバー生地が配置されており、
前記カバー生地は伸縮性生地であり、前記ベルト部と前記第２の生地の上端部で固定されている請求項１〜４のいずれか１項に記載のスポーツ用パンツ。
【請求項６】
前記カバー生地は、体長方向に比べて体周方向の同一伸度における応力が高い請求項５に記載のスポーツ用パンツ。
【発明の詳細な説明】
【技術分野】
【０００１】
本発明はスポーツ用パンツに関する。さらに好適にはマラソン、ランニング、ジョギング、散歩等のスポーツ用パンツに関する。
【背景技術】
【０００２】
ランニング等のスポーツ用パンツは織物性のパンツ、あるいは大臀部、太腿部、膝回り、ふくらはぎ部等の必要な筋肉に着圧パワーをかけたり、筋肉の振動を抑えたり、あるいは腰部を締めて姿勢制御する等の様々なコンプレッションタイプのタイツが知られている。従来例として、本出願人は特許文献１において、ウエストバッグのずれを防止するため、腰後部に滑り止め部材を配置することを提案した。また、スポーツ用タイツとしてはポリウレタン糸等の弾性糸を含む伸縮性編物生地を使用し、必要な個所には弾性の高い伸縮性編物生地を配置し、その他の箇所には弾性の低い伸縮性編物生地を配置していた（例えば特許文献２〜３）。
【先行技術文献】
【特許文献】
【０００３】
【特許文献１】特開２０１５−１２７４６３号公報
【特許文献２】特開２００５−２２６２１７号公報
【特許文献３】特開２０１３−０６７９２６号公報
【発明の概要】
【発明が解決しようとする課題】
【０００４】
しかし、前記特許文献で提案されているパンツは、下腹部及び腰の後部を含む胴体周囲の締め付け力が低く、また従来のタイツは大腿部も締め付けてしまい、前記胴体周囲のみ締め付けることは困難であった。
本発明は、前記従来の問題を解決するため、下腹部及び腰の後部を含む胴体周囲のみ締め付けることが可能なスポーツ用パンツを提供する。
【課題を解決するための手段】
【０００５】
本発明のスポーツ用パンツは、第１の生地と第２の生地を含むスポーツ用パンツであって、前記第１の生地は伸縮性生地であり、下腹部及び腰の後部を含む胴体周囲を覆い、下限は恥骨を含む位置より上で臍部より下の位置にあり、上端にはベルト部があり、前記第２の生地は、前記第１の生地より下方に配置され、伸縮性は無いか又は前記第１の生地の伸縮性より低い伸縮性の織物であることを特徴とする。
【発明の効果】
【０００６】
本発明は、第１の生地は伸縮性生地であり、下腹部及び腰の後部を含む周囲を覆い、下限は恥骨を含む位置より上で臍部より下の位置にあり、上端にはベルト部があり、第２の生地は第１の生地より下方に配置され、伸縮性は無いか又は第１の生地の伸縮性より低い伸縮性の織物であることにより、下腹部及び腰の後部を含む胴体周囲のみ締め付け、他の部分は締め付け力がフリーであるスポーツ用パンツとすることができる。その結果、ランニング時には臀部から脚部の筋肉はフリー状態に保たれ、自由な動きができ、下腹部及び腰の後部を含む胴体周囲は固定され、安定姿勢を保つことができる。
【図面の簡単な説明】
【０００７】
【図１】図１は本発明の一実施例のスポーツ用パンツの正面図である。
【図２】図２は同、背面図である。
【図３】図３は同、カバー生地にペットボトルを挿入した説明図である。
【図４】図４は同、カバー生地が無いスポーツ用パンツの背面図である。
【発明を実施するための形態】
【０００８】
本発明のスポーツ用パンツは、第１の生地と第２の生地で少なくとも構成される。第１の生地は伸縮性生地、例えば編み物である。タテ編み地でもヨコ編み地でもよい。第１の生地は下腹部及び腰の後部を含む周囲を覆い、下限は恥骨を含む位置より上で臍部より下の位置にある。これにより、下腹部及び腰の後部を含む胴体周囲を締め付ける。また、第１の生地の上端にはベルト部があり、身体の胴体に固定される。
【０００９】
第２の生地は、第１の生地より下方に配置され、伸縮性は無いか又は前記第１の生地の伸縮性より低い伸縮性の織物である。ランニング時には臀部から脚部の筋肉はフリー状態に保たれ、自由な動きができる。マラソンの一流選手は、臀部から脚部の筋肉はフリー状態に保ち、自由な動きを好む人が多い。本発明のパンツはこのような要望に沿うものである。
【００１０】
好ましい実施態様によれば、上部が伸縮性編地で下部が非伸縮性の織物のパンツである。すなわち、上部は従来のタイツ生地であり、下部は従来の織物生地で構成される。
【００１１】
第１の生地は、パンツの前側部分の中央幅が後側部分の中央幅より広いことが好ましい。より好ましくは第１生地の後側部分の中央幅に比べて前側部分の中央幅が１．１〜３倍の範囲であり、さらに好ましくは第１生地の後側部分の中央幅に比べて前側部分の中央幅が１．５〜２．５倍の範囲である。これにより、ランニング時の安定姿勢をより好ましく保てる。
【００１２】
第１の生地及び第２の生地の単位面積当たりの質量（目付）は、それぞれ４０〜２００ｇ／ｍ2であるのが好ましく、さらに好ましくは１１０〜１３０ｇ／ｍ2である。目付が前記の範囲であれば軽量であり、スポーツ用パンツとして好適である。
【００１３】
第１の生地は、通常のスポーツ用タイツに使われる編み物が好ましい。例えば、荷重１４．７Ｎで伸長率はタテ１３０〜１７０％、ヨコ８０〜１２０％であるのが好ましい。前記の範囲であれば、胴体を締め付け、姿勢を安定化させるのに好適である。
【００１４】
スポーツ用パンツの腰後部にはペットボトルを挿入するためのカバー生地が配置されており、前記カバー生地は伸縮性生地であり、ベルト部と第２の生地の上端部で固定されているのが好ましい。この構成により、飲料を入れたペットボトルはほぼ水平の状態で第１の生地とカバー生地との間に挿入できる。第１の生地もカバー生地も伸縮性生地であるから、ペットボトルを挿入すると伸び、固定するのが容易である。また、ペットボトルを固定するカバー生地の位置は腰後部であり、かつ身体に密着していることから、ランニング中は身体とともに動き、ランニング動作を妨げることもない。
【００１５】
カバー生地は、体長方向に比べて体周方向の応力（同一伸度における）が高いことが好ましい。前記の範囲であれば、ペットボトルを固定するのに都合が良い。一例として、荷重１４．７Ｎで伸長率はタテ９０〜１３０％、ヨコ３０〜７０％であるのが好ましい。
【００１６】
第１の生地は編み物生地が好ましく、例えば、丸編、ヨコ編、タテ編（トリコット編、ラッセル編を含む）、パイル編等を含み、平編、天竺編、リブ編、スムース編（両面編）、ゴム編、パール編、デンビー組織、コード組織、アトラス組織、鎖組織、挿入組織等がある。第２の生地は織物が好ましく、例えば平織、綾織、朱子織等がある。第１の生地と第２の生地に用いる繊維は、ポリエチレンテレフタレート（ポリエステル）フィラメント糸、同紡績糸、ナイロンフィラメント糸、同紡績糸、ポリウレタンフィラメント糸あるいはこれらの組み合わせが好ましい。第１の生地と第２の生地は、縫製によってパンツとする。カバー生地も縫製によって固定する。
【００１７】
本発明のスポーツ用パンツは短パン、７分丈、足首までの長さのパンツのいずれであっても良い。短パンはトレーニング時やレースで着用し、７分丈や足首までの長さのパンツは寒い時期に着用する。
【００１８】
以下図面を用いて説明する。以下の図面において同一符号は同一物を示す。図１は本発明の一実施例のスポーツ用パンツの正面図である。このスポーツ用パンツ１は、第１の生地２と第２の生地３を含み、第１の生地２は伸縮性生地であり、下腹部及び腰の後部を含む胴体周囲を覆い、下限は恥骨を含む位置より上で臍部より下の位置にあり、上端にはベルト部４がある。前記第２の生地３は、前記第１の生地２より下方に配置され、伸縮性は無いか又は前記第１の生地２の伸縮性より低い伸縮性の織物である。このスポーツ用パンツ１にはポケット部８，９がある。
【００１９】
図２は同、背面図である。スポーツ用パンツ１の腰後部にはペットボトルを挿入するためのカバー生地６が配置されており、カバー生地６は伸縮性生地であり、ベルト部４と第２の生地３の上端部で縫製により固定されている。
【００２０】
図３は同、カバー生地にペットボトル７を挿入した説明図である。飲料を入れたペットボトル７はほぼ水平の状態で第１の生地２とカバー生地６との間に挿入できる。ファスナー等の固定具も特になく、双方向から出し入れできるので便利である。
【００２１】
図４は同、カバー生地が無いスポーツ用パンツ１０の背面図である。図２と比較するとカバー生地が無い点が相違し、その他は同様である。このスポーツ用パンツ１０は、下腹部及び腰の後部を含む胴体周囲のみ締め付け、他の部分は締め付け力がフリーである。これにより、ランニング時には臀部から脚部の筋肉はフリー状態に保たれ、自由な動きができ、下腹部及び腰の後部を含む胴体周囲は固定され、安定姿勢を保つことができる。
【実施例】
【００２２】
以下実施例を用いてさらに具体的に説明する。なお、本発明は下記の実施例に限定して解釈されるものではない。
【００２３】
（実施例１）
（１）第１の生地
ポリエステル（ポリエチレンテレフタレート:PET）のマルチフィラメント糸８４質量％、ポリウレタンフィラメント糸１６質量％を使用し、トリコット組織の編み物を作成した。目付は１９０ｇ／ｍ２であった。この編物は荷重１４．７Ｎで伸長率はタテ１５１％、ヨコ１０５％であった。
（２）第２の生地
ポリエステル(PET)のマルチフィラメント糸を経糸と緯糸に使用した平織物を作成した。目付は１５０ ｇ／ｍ２であった。この織物生地は伸縮性が無かった。
（３）ペットボトルを挿入するためのカバー生地
繊維素材：ナイロンのマルチフィラメント糸（総繊度：７８ｔｅｘ，構成本数２４本，生糸）８３質量％、ポリウレタンフィラメント糸（繊度：３１０ｔｅｘ）１７質量％を使用し、２６ゲージの緯編機でゴム編み組織の編み物を作成した。目付は１８０ｇ／ｍ２であった。
カバー生地の伸度と応力は表１〜２のとおりである。
【００２４】
【表１】
2020153060.tif 000003
【００２５】
【表２】
2020153060.tif 000004
【００２６】
第１の生地、第２の生地及びカバー生地を使用して図１〜３に示すランニング用パンツ（短パン）を縫製により作成した。ＪＡＳＰＯのＬサイズで、身丈は４０ｃｍ，静置した場合の腰幅３０ｃｍ，第１生地の前側中央の幅が１０ｃｍ，同後側中央の幅が４．５ｃｍであった。また、このパンツの１着当たりの質量は１１０ｇであった。このパンツは、ランニング時には臀部から脚部の筋肉はフリー状態に保たれ、自由な動きができ、下腹部及び腰の後部を含む胴体周囲は固定され、安定姿勢を保つことができた。また、飲料を入れたペットボトルはほぼ水平の状態で第１の生地とカバー生地との間に挿入できた。ファスナー等の固定具も特になかったが、双方向から出し入れできるので便利であった。
【００２７】
（実施例２）
図４に示すように、ペットボトルを挿入するためのカバー生地が無い以外は実施例１と同様にランニング用パンツを縫製により作成した。このパンツは、ランニング時には臀部から脚部の筋肉はフリー状態に保たれ、自由な動きができ、下腹部及び腰の後部を含む胴体周囲は固定され、安定姿勢を保つことができた。
【産業上の利用可能性】
【００２８】
本発明のスポーツ用タイツは、ランニング、マラソン、ジョギング、トレイルラン、散歩、登山等のパンツとして好適であるほか、様々なスポーツにも好適である。とくにマラソンを含むランニング用パンツとして好適である。
【符号の説明】
【００２９】
１，１０  スポーツ用パンツ
２  第１の生地
３  第２の生地
４  ベルト部
５  紐
６  カバー生地
７  ペットボトル
８，９  ポケット部
【図１】
2020153060.tif 000005
【図２】
2020153060.tif 000006
【図３】
2020153060.tif 000007
【図４】
2020153060.tif 000008
【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
第１の生地と第２の生地を含むランニング用パンツであって、
前記第１の生地は、下腹部及び腰の後部を含む胴体周囲を円筒状に覆って締め付け、ランニング時には安定姿勢を保つための伸縮性生地であり、上端にはベルト部があり、
前記第２の生地は、前記第１の生地より下方に配置され、ランニング時には臀部から脚部の筋肉はフリー状態に保たれ、自由な動きができる生地であり、伸縮性は無いか又は前記第１の生地の伸縮性より低い伸縮性の織物であり、
前記ランニング用パンツは短パン又は７分丈であることを特徴とするランニング用パンツ。
【請求項２】
前記第１の生地は編み物である請求項１に記載のランニング用パンツ。
【請求項３】
前記第１の生地及び第２の生地の単位面積当たりの質量（目付）は、それぞれ４０〜２００ｇ／ｍ2である請求項１又は２に記載のランニング用パンツ。
【請求項４】
前記第１の生地は、下限は恥骨を含む位置より上にあり、臍部より下の位置まである請求項１〜３のいずれか１項に記載のランニング用パンツ。
【請求項５】
前記第１の生地は、荷重１４．７Ｎで伸長率はタテ１３０〜１７０％、ヨコ８０〜１２０％である請求項１〜４のいずれか１項に記載のランニング用パンツ。
【請求項６】
前記第１の生地の外側の少なくとも一部には伸縮性カバー生地が配置されている請求項１〜５のいずれか１項に記載のランニング用パンツ。
【請求項７】
前記伸縮性カバー生地は、体長方向に比べて体周方向の同一伸度における応力が高い請求項６に記載のランニング用パンツ。
【請求項８】
前記第１の生地には複数のポケット部がある請求項１〜７のいずれか１項に記載のランニング用パンツ。
【手続補正２】
【補正対象書類名】明細書
【補正対象項目名】全文
【補正方法】変更
【補正の内容】
【発明の詳細な説明】
【技術分野】
【０００１】
本発明はランニング用パンツに関する。さらに好適にはマラソン、ランニング、ジョギング、散歩等のランニング用パンツに関する。
【背景技術】
【０００２】
ランニング等のスポーツ用パンツは織物性のパンツ、あるいは大臀部、太腿部、膝回り、ふくらはぎ部等の必要な筋肉に着圧パワーをかけたり、筋肉の振動を抑えたり、あるいは腰部を締めて姿勢制御する等の様々なコンプレッションタイプのタイツが知られている。従来例として、本出願人は特許文献１において、ウエストバッグのずれを防止するため、腰後部に滑り止め部材を配置することを提案した。また、スポーツ用タイツとしてはポリウレタン糸等の弾性糸を含む伸縮性編物生地を使用し、必要な個所には弾性の高い伸縮性編物生地を配置し、その他の箇所には弾性の低い伸縮性編物生地を配置していた（例えば特許文献２〜３）。
【先行技術文献】
【特許文献】
【０００３】
【特許文献１】特開２０１５−１２７４６３号公報
【特許文献２】特開２００５−２２６２１７号公報
【特許文献３】特開２０１３−０６７９２６号公報
【発明の概要】
【発明が解決しようとする課題】
【０００４】
しかし、前記特許文献で提案されているパンツは、下腹部及び腰の後部を含む胴体周囲の締め付け力が低く、また従来のタイツは大腿部も締め付けてしまい、前記胴体周囲のみ締め付けることは困難であった。
本発明は、前記従来の問題を解決するため、下腹部及び腰の後部を含む胴体周囲のみ締め付けることが可能なランニング用パンツを提供する。
【課題を解決するための手段】
【０００５】
本発明のランニング用パンツは、第１の生地と第２の生地を含むランニング用パンツであって、前記第１の生地は、下腹部及び腰の後部を含む胴体周囲を円筒状に覆って締め付け、ランニング時には安定姿勢を保つための伸縮性生地であり、上端にはベルト部があり、前記第２の生地は、前記第１の生地より下方に配置され、ランニング時には臀部から脚部の筋肉はフリー状態に保たれ、自由な動きができる生地であり、伸縮性は無いか又は前記第１の生地の伸縮性より低い伸縮性の織物であり、前記ランニング用パンツは短パン又は７分丈である。
【発明の効果】
【０００６】
本発明は、第１の生地と第２の生地を含むランニング用パンツであって、前記第１の生地は、下腹部及び腰の後部を含む胴体周囲を円筒状に覆って締め付け、ランニング時には安定姿勢を保つための伸縮性生地であり、上端にはベルト部があり、前記第２の生地は、前記第１の生地より下方に配置され、ランニング時には臀部から脚部の筋肉はフリー状態に保たれ、自由な動きができる生地であり、伸縮性は無いか又は前記第１の生地の伸縮性より低い伸縮性の織物であり、前記ランニング用パンツは短パン又は７分丈であることにより、下腹部及び腰の後部を含む胴体周囲のみ締め付け、他の部分は締め付け力がフリーであるランニング用パンツとすることができる。その結果、ランニング時には臀部から脚部の筋肉はフリー状態に保たれ、自由な動きができ、下腹部及び腰の後部を含む胴体周囲は固定され、安定姿勢を保つことができる。
【図面の簡単な説明】
【０００７】
【図１】図１は本発明の一実施例のランニング用パンツの正面図である。
【図２】図２は同、背面図である。
【図３】図３は同、カバー生地にペットボトルを挿入した説明図である。
【図４】図４は同、カバー生地が無いランニング用パンツの背面図である。
【発明を実施するための形態】
【０００８】
本発明のランニング用パンツ（以下「スポーツ用パンツ」ともいう。）は、第１の生地と第２の生地で少なくとも構成される。第１の生地は伸縮性生地、例えば編み物である。タテ編み地でもヨコ編み地でもよい。第１の生地は下腹部及び腰の後部を含む周囲を覆い、下限は恥骨を含む位置より上で臍部より下の位置にある。これにより、下腹部及び腰の後部を含む胴体周囲を締め付ける。また、第１の生地の上端にはベルト部があり、身体の胴体に固定される。
【０００９】
第２の生地は、第１の生地より下方に配置され、伸縮性は無いか又は前記第１の生地の伸縮性より低い伸縮性の織物である。ランニング時には臀部から脚部の筋肉はフリー状態に保たれ、自由な動きができる。マラソンの一流選手は、臀部から脚部の筋肉はフリー状態に保ち、自由な動きを好む人が多い。本発明のパンツはこのような要望に沿うものである。
【００１０】
好ましい実施態様によれば、上部が伸縮性編地で下部が非伸縮性の織物のパンツである。すなわち、上部は従来のタイツ生地であり、下部は従来の織物生地で構成される。
【００１１】
第１の生地は、パンツの前側部分の中央幅が後側部分の中央幅より広いことが好ましい。より好ましくは第１生地の後側部分の中央幅に比べて前側部分の中央幅が１．１〜３倍の範囲であり、さらに好ましくは第１生地の後側部分の中央幅に比べて前側部分の中央幅が１．５〜２．５倍の範囲である。これにより、ランニング時の安定姿勢をより好ましく保てる。
【００１２】
第１の生地及び第２の生地の単位面積当たりの質量（目付）は、それぞれ４０〜２００ｇ／ｍ2であるのが好ましく、さらに好ましくは１１０〜１３０ｇ／ｍ2である。目付が前記の範囲であれば軽量であり、スポーツ用パンツとして好適である。
【００１３】
第１の生地は、通常のスポーツ用タイツに使われる編み物が好ましい。例えば、荷重１４．７Ｎで伸長率はタテ１３０〜１７０％、ヨコ８０〜１２０％であるのが好ましい。前記の範囲であれば、胴体を締め付け、姿勢を安定化させるのに好適である。
【００１４】
スポーツ用パンツの腰後部にはペットボトルを挿入するためのカバー生地が配置されており、前記カバー生地は伸縮性生地であり、ベルト部と第２の生地の上端部で固定されているのが好ましい。この構成により、飲料を入れたペットボトルはほぼ水平の状態で第１の生地とカバー生地との間に挿入できる。第１の生地もカバー生地も伸縮性生地であるから、ペットボトルを挿入すると伸び、固定するのが容易である。また、ペットボトルを固定するカバー生地の位置は腰後部であり、かつ身体に密着していることから、ランニング中は身体とともに動き、ランニング動作を妨げることもない。
【００１５】
カバー生地は、体長方向に比べて体周方向の応力（同一伸度における）が高いことが好ましい。前記の範囲であれば、ペットボトルを固定するのに都合が良い。一例として、荷重１４．７Ｎで伸長率はタテ９０〜１３０％、ヨコ３０〜７０％であるのが好ましい。
【００１６】
第１の生地は編み物生地が好ましく、例えば、丸編、ヨコ編、タテ編（トリコット編、ラッセル編を含む）、パイル編等を含み、平編、天竺編、リブ編、スムース編（両面編）、ゴム編、パール編、デンビー組織、コード組織、アトラス組織、鎖組織、挿入組織等がある。第２の生地は織物が好ましく、例えば平織、綾織、朱子織等がある。第１の生地と第２の生地に用いる繊維は、ポリエチレンテレフタレート（ポリエステル）フィラメント糸、同紡績糸、ナイロンフィラメント糸、同紡績糸、ポリウレタンフィラメント糸あるいはこれらの組み合わせが好ましい。第１の生地と第２の生地は、縫製によってパンツとする。カバー生地も縫製によって固定する。
【００１７】
本発明のスポーツ用パンツは短パン、７分丈、足首までの長さのパンツのいずれであっても良い。短パンはトレーニング時やレースで着用し、７分丈や足首までの長さのパンツは寒い時期に着用する。
【００１８】
以下図面を用いて説明する。以下の図面において同一符号は同一物を示す。図１は本発明の一実施例のスポーツ用パンツの正面図である。このスポーツ用パンツ１は、第１の生地２と第２の生地３を含み、第１の生地２は伸縮性生地であり、下腹部及び腰の後部を含む胴体周囲を覆い、下限は恥骨を含む位置より上で臍部より下の位置にあり、上端にはベルト部４がある。前記第２の生地３は、前記第１の生地２より下方に配置され、伸縮性は無いか又は前記第１の生地２の伸縮性より低い伸縮性の織物である。このスポーツ用パンツ１にはポケット部８，９がある。
【００１９】
図２は同、背面図である。スポーツ用パンツ１の腰後部にはペットボトルを挿入するためのカバー生地６が配置されており、カバー生地６は伸縮性生地であり、ベルト部４と第２の生地３の上端部で縫製により固定されている。
【００２０】
図３は同、カバー生地にペットボトル７を挿入した説明図である。飲料を入れたペットボトル７はほぼ水平の状態で第１の生地２とカバー生地６との間に挿入できる。ファスナー等の固定具も特になく、双方向から出し入れできるので便利である。
【００２１】
図４は同、カバー生地が無いスポーツ用パンツ１０の背面図である。図２と比較するとカバー生地が無い点が相違し、その他は同様である。このスポーツ用パンツ１０は、下腹部及び腰の後部を含む胴体周囲のみ締め付け、他の部分は締め付け力がフリーである。これにより、ランニング時には臀部から脚部の筋肉はフリー状態に保たれ、自由な動きができ、下腹部及び腰の後部を含む胴体周囲は固定され、安定姿勢を保つことができる。
【実施例】
【００２２】
以下実施例を用いてさらに具体的に説明する。なお、本発明は下記の実施例に限定して解釈されるものではない。
【００２３】
（実施例１）
（１）第１の生地
ポリエステル（ポリエチレンテレフタレート:PET）のマルチフィラメント糸８４質量％、ポリウレタンフィラメント糸１６質量％を使用し、トリコット組織の編み物を作成した。目付は１９０ｇ／ｍ2であった。この編物は荷重１４．７Ｎで伸長率はタテ１５１％、ヨコ１０５％であった。
（２）第２の生地
ポリエステル(PET)のマルチフィラメント糸を経糸と緯糸に使用した平織物を作成した。目付は１５０ ｇ／ｍ2であった。この織物生地は伸縮性が無かった。
（３）ペットボトルを挿入するためのカバー生地
繊維素材：ナイロンのマルチフィラメント糸（総繊度：７８ｔｅｘ，構成本数２４本，生糸）８３質量％、ポリウレタンフィラメント糸（繊度：３１０ｔｅｘ）１７質量％を使用し、２６ゲージの緯編機でゴム編み組織の編み物を作成した。目付は１８０ｇ／ｍ2であった。
カバー生地の伸度と応力は表１〜２のとおりである。
【００２４】
【表１】
2020153060.tif 000009
【００２５】
【表２】
2020153060.tif 000010
【００２６】
第１の生地、第２の生地及びカバー生地を使用して図１〜３に示すランニング用パンツ（短パン）を縫製により作成した。ＪＡＳＰＯのＬサイズで、身丈は４０ｃｍ，静置した場合の腰幅３０ｃｍ，第１生地の前側中央の幅が１０ｃｍ，同後側中央の幅が４．５ｃｍであった。また、このパンツの１着当たりの質量は１１０ｇであった。このパンツは、ランニング時には臀部から脚部の筋肉はフリー状態に保たれ、自由な動きができ、下腹部及び腰の後部を含む胴体周囲は固定され、安定姿勢を保つことができた。また、飲料を入れたペットボトルはほぼ水平の状態で第１の生地とカバー生地との間に挿入できた。ファスナー等の固定具も特になかったが、双方向から出し入れできるので便利であった。
【００２７】
（実施例２）
図４に示すように、ペットボトルを挿入するためのカバー生地が無い以外は実施例１と同様にランニング用パンツを縫製により作成した。このパンツは、ランニング時には臀部から脚部の筋肉はフリー状態に保たれ、自由な動きができ、下腹部及び腰の後部を含む胴体周囲は固定され、安定姿勢を保つことができた。
【産業上の利用可能性】
【００２８】
本発明のスポーツ用タイツは、ランニング、マラソン、ジョギング、トレイルラン、散歩、登山等のパンツとして好適であるほか、様々なスポーツにも好適である。とくにマラソンを含むランニング用パンツとして好適である。
【符号の説明】
【００２９】
１，１０  スポーツ用パンツ
２  第１の生地
３  第２の生地
４  ベルト部
５  紐
６  カバー生地
７  ペットボトル
８，９  ポケット部